(57)【要約】【課題】冷却水の水量を確実に確保し、かつ室外熱交換器を確実に冷却する空気調和機を提案する。【解決手段】空気調和機１は、被空調室の外に配置される室外熱交換器４３と、冷却水Ｗを貯留する容器６１と、容器６１から冷却水Ｗを揚水する揚水ポンプ６２と、揚水ポンプ６２から吐出される冷却水Ｗを室外熱交換器４３の外表面に掛ける給水管６３と、室外熱交換器４３から流下する冷却水Ｗを容器６１へ回収する回収路６５と、を備える。【選択図】  図１
2015021635.tif 000002
【特許請求の範囲】
【請求項１】
被空調室の外に配置される室外熱交換器と、
冷却水を貯留する容器と、
前記容器から前記冷却水を揚水するポンプと、
前記ポンプから吐出される前記冷却水を前記室外熱交換器の外表面に掛ける給水管と、
前記室外熱交換器から流下する前記冷却水を前記容器へ回収する回収路と、を備える空気調和機。
【請求項２】
前記室外熱交換器に接続される圧縮機と、
前記圧縮機を制御する室外制御部と、を備え、
前記給水管は、前記ポンプから吐出される前記冷却水を前記室外制御部の外表面に掛け、
前記回収路は、前記室外制御部から流下する前記冷却水を前記容器へ回収する請求項１に記載の空気調和機。
【請求項３】
前記室外制御部は、室外機の運転状態を監視し、この監視結果に基づいて前記ポンプの運転を制御する請求項２に記載の空気調和機。
【請求項４】
被空調室の外に設けられて外気の温度を測定する室外温度センサを備え、
前記室外制御部は、前記室外温度センサの測定結果に基づいて前記ポンプの運転を制御する請求項３に記載の空気調和機。
【請求項５】
前記室外熱交換器の温度を測定する室外熱交換器温度センサを備え、
前記室外制御部は、前記室外熱交換器温度センサの測定結果に基づいて前記ポンプの運転を制御する請求項３に記載の空気調和機。
【請求項６】
前記室外制御部の温度を測定する室外制御部温度センサを備え、
前記室外制御部は、前記室外制御部温度センサの測定結果に基づいて前記ポンプの運転を制御する請求項３に記載の空気調和機。
【請求項７】
前記室外制御部は、室外機の消費電力を推定し、前記消費電力が予め定める所定値を超えると、前記ポンプを運転する請求項３に記載の空気調和機。
【請求項８】
前記容器へ水道水を前記冷却水として補給する補給管を備える請求項１から７のいずれか１項に記載の空気調和機。
【請求項９】
前記容器へ雨水を前記冷却水として補給する補給管を備える請求項１から７のいずれか１項に記載の空気調和機。
【請求項１０】
前記被空調室内に配置される室内熱交換器と、
前記室内熱交換器から滴下する凝縮水を前記冷却水として前記容器へ補給する補給管と、を備える請求項８または９に記載の空気調和機。
【発明の詳細な説明】
【技術分野】
【０００１】
本発明に係る実施形態は、空気調和機に関する。
【背景技術】
【０００２】
冷房運転における室内熱交換器から滴下する凝縮水を室外側に導き冷却水として室外熱交換器にかき上げる空気調和機が知られている。
【先行技術文献】
【特許文献】
【０００３】
【特許文献１】特開平６−２１３４７５号公報
【発明の概要】
【発明が解決しようとする課題】
【０００４】
従来の空気調和機は、室内熱交換器に発生する凝縮水を水源としているため、冷却水の供給が安定せず、かき上げる水量の制御が難しい。
【０００５】
また、従来の空気調和機は、冷却水をかき上げて室外熱交換へ浴びせ掛けるために、かき上げた冷却水の全量を室外熱交換器へ確実に到達させることが難しい。
【０００６】
つまり、従来の空気調和機は、冷却水の水量確保の観点でも、冷却水の供給方法の観点でも、室外熱交換器を確実に冷却できるとは言い難い。
【０００７】
そこで、本発明は、冷却水の水量を確実に確保し、かつ室外熱交換器を確実に冷却する空気調和機を提案する。
【課題を解決するための手段】
【０００８】
前記の課題を解決するため本発明の実施形態に係る空気調和機は、被空調室の外に配置される室外熱交換器と、冷却水を貯留する容器と、前記容器から前記冷却水を揚水するポンプと、前記ポンプから吐出される前記冷却水を前記室外熱交換器の外表面に掛ける給水管と、前記室外熱交換器から流下する前記冷却水を前記容器へ回収する回収路と、を備える。
【図面の簡単な説明】
【０００９】
【図１】本発明の実施形態に係る空気調和機を示すブロック図。
【図２】本発明の実施形態に係る空気調和機の室外機の電源回路を示すブロック図。
【図３】本発明の実施形態に係る空気調和機の室外機を示す斜視図。
【図４】本発明の実施形態に係る空気調和機の室外熱交換器冷却制御の一例を示すフローチャート。
【図５】本発明の実施形態に係る空気調和機の室外熱交換器冷却制御の一例を示すフローチャート。
【図６】本発明の実施形態に係る空気調和機の室外熱交換器冷却制御の一例を示すフローチャート。
【図７】本発明の実施形態に係る空気調和機の室外熱交換器冷却制御の一例を示すフローチャート。
【図８】本発明の実施形態に係る空気調和機の室外熱交換器冷却制御の一例を示すフローチャート。
【図９】本発明の実施形態に係る空気調和機の室外熱交換器冷却制御の一例を示すフローチャート。
【発明を実施するための形態】
【００１０】
本発明に係る空気調和機の実施形態について、図１から図９を参照して説明する。
【００１１】
図１は、本発明の実施形態に係る空気調和機を示すブロック図である。
【００１２】
図１に示すように、本実施形態に係る空気調和機１は、被空調室内に配置される室内機２と、被空調室の外に配置される室外機３と、を備える。
【００１３】
室内機２は、上下ルーバ５と、モータ６と、左右ルーバ７と、モータ８と、受光部１１と、室内ファン１３と、モータ１４と、室内熱交換器１５と、室内温度センサ１６と、室内ファン駆動部１８と、上下ルーバ駆動部１９と、左右ルーバ駆動部２１と、ＥＥＰＲＯＭ２２と、ＲＯＭ２３と、ＲＡＭ２５と、音声発生部２６と、スピーカ２７と、マイナスイオン発生器２８と、室内制御部３１と、を備える。
【００１４】
室外機３は、圧縮機４１と、四方弁４２と、室外熱交換器４３と、膨張弁４５と、室外ファン４６と、室外温度センサ４７と、室外熱交換器温度センサ４８と、室外制御部温度センサ４９と、室外制御部５１と、を備える。
【００１５】
圧縮機４１は、四方弁４２を通じて室内熱交換器１５および室外熱交換器４３に接続されている。
【００１６】
冷房時には、図１中に実線矢印で示すように、圧縮機４１から吐出される冷媒は、四方弁４２を介して室外熱交換器４３へ案内される。室外熱交換器４３から流出する冷媒は、膨張弁４５、室内熱交換器１５を通って、再び四方弁４２を介して圧縮機４１へ吸い込まれる。この冷媒の実線矢印の流路（以下、単に「冷房流路」という。）によって、室外熱交換器４３が凝縮器、室内熱交換器１５が蒸発器として機能する。
【００１７】
一方、暖房時には、図１中に破線矢印で示すように、圧縮機４１から吐出される冷媒は、四方弁４２を介して室内熱交換器１５へ案内される。室内熱交換器１５から流出する冷媒は、膨張弁４５、室外熱交換器４３を通って、再び四方弁４２を介して圧縮機４１へ吸い込まれる。この冷媒の破線矢印の流路（以下、単に「暖房流路」という。）によって、室内熱交換器１５が凝縮器、室外熱交換器４３が蒸発器として機能する。
【００１８】
室外ファン４６は、の下流側に配置され、運転によって室外熱交換器４３側から熱交換後の空気を吸い込んで吹き出す。室内ファン１３は、室内熱交換器１５の下流側に配置され、運転によって室内熱交換器１５側から熱交換後の被空調室内の空気を吸い込んで吹き出す。
【００１９】
室内温度センサ１６は、室内熱交換器１５の吸い込み側に設けられて、室内機２に吸い込まれる空気の温度を検知する。室内制御部３１は、室内温度センサ１６から検知結果を読み取る。
【００２０】
受光部１１は、リモートコントローラ５２（以下、単に「リモコン５２」という。）から送られる赤外線信号を受光する。  室内ファン駆動部１８は、室内制御部３１からの運転信号に従ってモータ１４を駆動させる。駆動するモータ１４は、室内ファン１３を回転させて送風を行う。上下ルーバ駆動部１９は、室内制御部３１からの運転信号に従ってモータ６を駆動させる。駆動するモータ６は、上下ルーバ５を所定の角度範囲で回転させて、上下方向の風向を制御する。左右ルーバ駆動部２１は、室内制御部３１からの運転信号に従ってモータ８を駆動させる。駆動するモータ８は、左右ルーバ７を所定の角度範囲で回転させて、左右方向の風向を制御する。
【００２１】
ＲＯＭ２３は、書き換え不可能な記憶媒体であって、制御プログラムを記憶している。ＥＥＰＲＯＭ２２は、書き換え可能な記憶媒体であって、運転条件を記憶している。ＲＡＭ２５は、各種情報を一時的に記憶する。
【００２２】
音声発生部２６は、室内制御部３１から送られる各種案内情報を実際の音声信号に変換し、スピーカ２７から被空調室に音声を発する。
【００２３】
マイナスイオン発生器２８は、室内熱交換器１５の吸い込み側に設けられて、マイナスイオンを放出し、空気中に浮遊する塵埃などの粒子を負に帯電させて、対向電極としての室内熱交換器１５に付着させる。対向電極として機能する室内熱交換器１５は、電気的に接地されている。
【００２４】
室内制御部３１は、受光部１１からリモコン５２の操作を読み取り運転条件の設定を受け付け、室外制御部５１と協働して、設定された運転条件に応じる空調運転を実行する。室外制御部５１と室内制御部３１とは、信号線５３によって相互に接続されている。室外制御部５１は、圧縮機４１や室外ファン４６の運転を制御し、また、四方弁４２の流路切換を制御する。
【００２５】
室外温度センサ４７は、室外熱交換器４３の吸い込み側に設けられ、つまり、被空調室の外に設けられて外気の温度を検知する。し、室外制御部５１は、その検知結果を読み取る。
【００２６】
室外熱交換器温度センサ４８は、室外熱交換器４３の外表面に設けられて、室外熱交換器４３の温度を検知し、室外制御部５１はその検知結果を読み取る。
【００２７】
室外制御部温度センサ４９は、室外制御部５１に設けられて、室外制御部５１の温度を検知し、室外制御部５１は、室外制御部温度センサ４９から検知結果を読み取る。
【００２８】
また、室外機３は、冷却水Ｗを貯留する容器６１と、容器６１から冷却水Ｗを揚水する揚水ポンプ６２と、揚水ポンプ６２から吐出される冷却水Ｗを室外熱交換器４３の外表面に掛ける給水管６３と、室外熱交換器４３から流下する冷却水Ｗを容器６１へ回収する回収路６５と、を備える。
【００２９】
給水管６３は、揚水ポンプ６２から吐出される冷却水Ｗを室外熱交換器４３の外表面に掛ける一方で、揚水ポンプ６２から吐出される冷却水Ｗを室外制御部５１の外表面にも掛ける。
【００３０】
回収路６５は、室外熱交換器４３から流下する冷却水Ｗを容器６１へ回収する一方で、室外制御部５１から流下する冷却水Ｗも容器６１へ回収する。
【００３１】
図２は、本発明の実施形態に係る空気調和機の室外機の電源回路を示すブロック図である。
【００３２】
図２に示すように、本実施形態に係る空気調和機１の室外機３は、スイッチング回路６８、６９と、電流センサ７１と、電圧センサ７２と、を備える。
【００３３】
スイッチング回路６８、６９は、室内機２および配線用差込接続器（図示省略、所謂コンセント）を介して商用電源Ｅに接続される。商用電源Ｅは、電圧を整流する整流回路（図示省略）、整流回路の出力電圧を平滑する平滑コンデンサ（図示省略）を経てスイッチング回路６８、６９へ供給される。スイッチング回路６８は、平滑コンデンサの出力をスイッチングによって所定周波数の交流電圧に変換し圧縮機４１のモータ４１ａへ供給する。モータ４１ａは圧縮機４１を駆動させる。スイッチング回路６９は、平滑コンデンサの出力をスイッチングによって所定周波数の交流電圧に変換し室外ファン４６のモータ４６ａへ供給する。モータ４６ａは室外ファン４６を駆動させる。モータ４１ａ、４６ａの回転速度は、それぞれ空調負荷の状態や各種保護・協調制御等によって室内制御部３１および室外制御部５１で決定される。
【００３４】
電流センサ７１は、室外機３への入力電流を測定する。電流センサ７１は、室外機３の最も入口側に設けられて、室外機３内の各種電気部品全ての消費電流を測定する。
【００３５】
電圧センサ７２は、整流回路の出力電圧、つまりスイッチング回路６８、６９への入力電圧を測定する。
【００３６】
図３は、本発明の実施形態に係る空気調和機の室外機を示す斜視図である。
【００３７】
図３に示すように、本実施形態に係る空気調和機１の室外機３は、箱状の本体８１を備える。本体８１内には、機械室８２と送風機室８３とを仕切る仕切板８５が設けられている。
【００３８】
機械室８２の下部には、圧縮機４１が設けられている。機械室８２の上部には、電気部品箱８６が設けられている。電気部品箱８６には、室外制御部５１、スイッチング回路６８、６９、電流センサ７１、電圧センサ７２などが収納されている。電気部品箱８６の一部は、送風機室８３に入り込み、放熱フィン８７を下方へ向けて突出させている。
【００３９】
他方、送風機室８３には、室外ファン４６が設けられている。
【００４０】
室外熱交換器４３は、送風機室８３の内面に沿って、室外ファン４６の吐出側から側方に渡って配置されている。室外熱交換器４３の一部は、機械室８２にも入り込んでいる。室外熱交換器４３の機械室８２の入り込んでいる部分には、放熱フィン８７が設けられている。
【００４１】
冷却水Ｗを貯留する容器６１は、機械室８２および送風機室８３の下方に設けられている。
【００４２】
揚水ポンプ６２は、容器６１内に設けられて、冷却水Ｗに浸かっている。
【００４３】
給水管６３は、室外熱交換器４３の頂部に沿って設けられている。給水管６３には、室外熱交換器４３の全長に渡り、適宜の間隔で冷却水Ｗの流出口８８が開口されている。冷却水Ｗは、室外熱交換器４３から間接的に、または給水管６３から直接的に室外制御部５１の放熱フィン８７へ掛けられる。
【００４４】
給水管６３から室外熱交換器４３および室外制御部５１へ掛けられた冷却水Ｗは、これらの熱を奪って一部が気化し、残部が液体のまま回収路６５を流れ落ちる。
【００４５】
回収路６５は、室外熱交換器４３から容器６１へ向かって冷却水Ｗの流れ落ちる経路全体であり、送風機室８３の底板に送風機室８３内から容器６１へ冷却水Ｗを導く戻り口８９を有している。給水管６３から室外熱交換器４３に掛けられた冷却水Ｗは、室外熱交換器４３の外表面を伝わりながら流れ落ち、機械室８２の底板または送風機室８３の底板に至る。機械室８２の底板に達した冷却水Ｗは、送風機室８３側へ流れ込む。そして、送風機室８３の底板で合流した冷却水Ｗは、容器６１へ戻る。送風機室８３の底板は、戻り口８９を最も低い位置として漏斗状に傾斜している。
【００４６】
室外制御部５１から流下する冷却水Ｗは、もっぱら放熱フィン８７から送風機室８３の底板へ滴下する。
【００４７】
容器６１には、補給管９１が設けられている。補給管９１は、例えば、水道管の蛇口Ｆから容器６１へ水道水を冷却水Ｗとして補給する。また、補給管９１は、例えば、容器６１へ雨水ｒを冷却水Ｗとして補給する。なお、水源としての水道水および雨水ｒは、いずれかを選択的に適用しても良いし、双方を組み合わせて補い合わせても良い。さらに、補給管９１は、水道水および雨水ｒに加えて、室内熱交換器１５から滴下する凝縮水を容器６１へ冷却水Ｗとして補給しても良い。
【００４８】
そして、室外制御部５１は、室外機３の運転状態を監視し、この監視結果に基づいて揚水ポンプ６２の運転を制御し、冷却水Ｗを室外熱交換器４３に掛ける。具体例を、図４から図９に示す。
【００４９】
図４から図９は、本発明の実施形態に係る空気調和機の室外熱交換器冷却制御の一例を示すフローチャートである。
【００５０】
図４に示すように、本実施形態に係る空気調和機１の室外制御部５１は、室外温度センサ４７の測定結果に基づいて揚水ポンプ６２の運転を制御する。
【００５１】
具体的には、室外制御部５１は、室外温度センサ４７の測定結果を取得し（ステップＳ１）、外気温度が予め定める冷却開始温度Ｔｔｈ１、例えば３２度以上の場合には（ステップＳ２）、揚水ポンプ６２を運転して（ステップＳ３）冷却水Ｗを室外熱交換器４３の外表面に掛ける。その他の場合には、室外制御部５１は、揚水ポンプ６２を停止させ、または停止状態を維持する（ステップＳ４）。
【００５２】
また、図５に示すように、本実施形態に係る空気調和機１の室外制御部５１は、室外熱交換器温度センサ４８の測定結果に基づいて揚水ポンプ６２の運転を制御する。
【００５３】
具体的には、室外制御部５１は、室外熱交換器温度センサ４８の測定結果を取得し（ステップＳ１１）、室外熱交換器４３の表面温度が予め定める冷却開始温度Ｔｔｈ２、例えば３４度以上の場合には（ステップＳ１２）、揚水ポンプ６２を運転して（ステップＳ１３）冷却水Ｗを室外熱交換器４３の外表面に掛ける。その他の場合には、室外制御部５１は、揚水ポンプ６２を停止させ、または停止状態を維持する（ステップＳ１４）。
【００５４】
さらに、図６に示すように、本実施形態に係る空気調和機１の室外制御部５１は、室外制御部温度センサ４９の測定結果に基づいて揚水ポンプ６２の運転を制御する。
【００５５】
具体的には、室外制御部５１は、室外制御部温度センサ４９の測定結果を取得し（ステップＳ２１）、室外制御部５１の表面温度が予め定める冷却開始温度Ｔｔｈ３、例えば５５度以上の場合には（ステップＳ２２）、揚水ポンプ６２を運転して（ステップＳ２３）冷却水Ｗを室外制御部５１の外表面に掛ける。その他の場合には、室外制御部５１は、揚水ポンプ６２を停止させ、または停止状態を維持する（ステップＳ２４）。
【００５６】
さらにまた、図７から図９に示すように、本実施形態に係る空気調和機１の室外制御部５１は、室外温度センサ４７、室外熱交換器温度センサ４８および室外制御部温度センサ４９いずれか１つの測定結果の取得（図７のステップＳ１、図８のステップＳ１１、図９のステップＳ２１）に加えて、室外機３の消費電力を推定（ステップＳ３１）し、この消費電力が予め定める所定値、例えば１キロワットを超える場合には（ステップＳ３２）、揚水ポンプ６２を運転して（図７のステップＳ３、図８のステップＳ１３、図９のステップＳ２３）冷却水Ｗを室外熱交換器４３の外表面に掛ける。その他の場合には、室外制御部５１は、揚水ポンプ６２を停止させ、または停止状態を維持する（図７のステップＳ４、図８のステップＳ１４、図９のステップＳ２４）。室外機３の消費電力は、電流センサ７１および電圧センサ７２の測定値から推定する。
【００５７】
なお、空気調和機１の室外制御部５１は、室外温度センサ４７、室外熱交換器温度センサ４８、室外制御部温度センサ４９それぞれの測定結果および室外機３の消費電力の推定値の少なくともいずれか１つに基づいて揚水ポンプ６２の運転を制御しても良く、いずれか２つ以上を組み合わせて揚水ポンプ６２の運転を制御しても良い。
【００５８】
本実施形態に係る空気調和機１は、室外熱交換器４３の外表面に冷却水Ｗを掛け流し、冷却水Ｗの一部を気化させることによって、冷房運転における室外熱交換器４３の温度上昇を抑え、より効果的に被空調室を冷却しつつ、消費電力を抑えることができる。
【００５９】
また、本実施形態に係る空気調和機１は、室外制御部５１の外表面に冷却水Ｗを掛け流し、冷却水Ｗの一部を気化させることによって、室外制御部５１内で発熱する素子等を冷却し、スイッチング回路６８、６９の効率、いわゆるインバータ効率を向上できる。しかも、室外制御部５１を水冷することによって、放熱フィン８７の小型化を図ることができるため、室外機３の小型化にも寄与できる。
【００６０】
さらに、本実施形態に係る空気調和機１は、室外機３の運転状態を監視し、この監視結果に基づいて揚水ポンプ６２の運転を制御することによって、例えば、外気の温度が高い場合のみに揚水ポンプ６２を動作させるなどして消費電力を抑えることができる。
【００６１】
さらにまた、本実施形態に係る空気調和機１は、室外温度センサ４７の測定結果に基づいて揚水ポンプ６２の運転を制御することによって、例えば、外気の温度が高い場合に揚水ポンプ６２を動作させて消費電力を抑えることができる。
【００６２】
また、本実施形態に係る空気調和機１は、室外熱交換器温度センサ４８の測定結果に基づいて揚水ポンプ６２の運転を制御することによって、例えば、室外熱交換器４３の温度が高い場合のみに揚水ポンプ６２を動作させるなどして冷却水Ｗの気化熱を効果的に利用できる。
【００６３】
さらに、本実施形態に係る空気調和機１は、室外制御部温度センサ４９の測定結果に基づいて揚水ポンプ６２の運転を制御することによって、例えば、室外制御部５１の温度が高い場合のみに揚水ポンプ６２を動作させるなどしてインバータ効率を向上できる。他方、室外制御部５１の温度が低い場合には、揚水ポンプ６２を停止させて消費電力を抑えることができる。
【００６４】
さらにまた、本実施形態に係る空気調和機１は、室外機３の消費電力を推定し、この消費電力が予め定める所定値を超えると揚水ポンプ６２を運転することによって、消費電力が高いとき、つまり、省エネ効果がもっとも高いときに冷却水Ｗを活用できる。
【００６５】
また、本実施形態に係る空気調和機１は、水道水を水源とすることによって、冷却水Ｗを安定的に確保し、効果的に利用できる。
【００６６】
さらに、実施形態に係る空気調和機１は、雨水ｒを水源とすることによって、冷却水Ｗを安定的に確保し、効果的に利用できる。
【００６７】
さらにまた、実施形態に係る空気調和機１は、室内熱交換器１５の凝縮水を付加的な水源とすることによって、他の水源から補給する冷却水Ｗの補給量を減らすことができる。
【００６８】
したがって、本実施形態に空気調和機１によれば、冷却水Ｗの水量を確実に確保し、かつ室外熱交換器４３を確実に冷却できる。
【００６９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７０】
１  空気調和機
２  室内機
３  室外機
５  上下ルーバ
６  モータ
７  左右ルーバ
８  モータ
１１  受光部
１３  室内ファン
１４  モータ
１５  室内熱交換器
１６  室内温度センサ
１８  室内ファン駆動部
１９  上下ルーバ駆動部
２１  左右ルーバ駆動部
２２  ＥＥＰＲＯＭ
２３  ＲＯＭ
２５  ＲＡＭ
２６  音声発生部
２７  スピーカ
２８  マイナスイオン発生器
３１  室内制御部
４１  圧縮機
４１ａ  モータ
４２  四方弁
４３  室外熱交換器
４５  膨張弁
４６  室外ファン
４６ａ  モータ
４７  室外温度センサ
４８  室外熱交換器温度センサ
４９  室外制御部温度センサ
５１  室外制御部
５２  操作器（リモコン）
５３  信号線
６１  容器
６２  揚水ポンプ
６３  給水管
６５  回収路
６８、６９  スイッチング回路
７１  電流センサ
７２  電圧センサ
８１  本体
８２  機械室
８３  送風機室
８５  仕切板
８６  電気部品箱
８７  放熱フィン
８８  流出口
８９  戻り口
９１  補給管
【図１】
2015021635.tif 000003
【図２】
2015021635.tif 000004
【図３】
2015021635.tif 000005
【図４】
2015021635.tif 000006
【図５】
2015021635.tif 000007
【図６】
2015021635.tif 000008
【図７】
2015021635.tif 000009
【図８】
2015021635.tif 000010
【図９】
2015021635.tif 000011